【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
床面上に所定間隔で設置される複数の支持脚と、該支持脚に両端部をそれぞれ支持されて横架される床受け部材と、を備えた床支持体であって、
前記支持脚は、床面に対して略垂直に立設される支柱と、該支柱の上部側面から側方に延出された支持板と、を有し、
前記床受け部材の両端には、それぞれ前記支持板に上方から外嵌可能な外嵌部が形成され、
前記支柱は、上下に貫通するネジ溝が形成された筒状体と、前記ネジ溝に螺入されるネジ部材とを備え、前記筒状体は、前記支持板よりも下方の所定位置で上部筒状体と下部筒状体とに長さ方向に２分割され、前記ネジ部材は、上端側が前記上部筒状体のネジ溝に螺入されると共に、下端側が前記下部筒状体のネジ溝に螺入され、
前記上部筒状体に形成されたネジ溝は前記支柱の上端面に形成された開口に連通し、
前記ネジ部材は、前記上部筒状体に螺入された上端側の端面に第１係合部が形成され、該第１係合部に前記開口側から前記ネジ溝の内部に挿入された工具の先端を係合可能に構成されたことを特徴とする床支持体。
【請求項２】
前記支持板はその板面が床面に対して略垂直とされ、前記板面上の所定位置には第２係合部が形成され、
前記外嵌部には、前記支持板に外嵌された状態で前記第２係合部に対応する位置に、上方から前記第２係合部に係合可能な係止部が形成されたことを特徴とする請求項１に記載の床支持体。
【請求項３】
前記床受け部材は、略水平かつ略平行に配設された所定長さの一対の側面板状部と、該一対の側面板状部の上端同士と下端同士をそれぞれ略水平に接続する上部板状部および下部板状部と、前記一対の側面板状部の上端からそれぞれ上方に拡開するように延出された一対の斜面板状部と、該一対の斜面板状部の上端同士を接続する略水平な天面板状部と、を有し、
前記外嵌部は、前記床受け部材の端部において前記側面板状部、前記斜面板状部、前記天面板状部、が前記上部板状部および前記下部板状部よりも所定寸法長く延出された形状とされ、前記一対の側面板状部の間隔が前記支持板の板厚と略同一とされたことにより、前記一対の側面板状部の間に下方から挿入された前記支持板によって前記天面板状部が下方から当接支持されることを特徴とする請求項１または請求項２に記載の床支持体。
【請求項４】
前記上部板状部または前記下部板状部は、前記一対の側面板状部との接続部が他の部位よりも肉薄に形成されたことを特徴とする請求項３に記載の床支持体。
【請求項５】
前記第２係合部は、前記支持板の板面から突出する凸部からなり、前記係止部は、前記側面板状部の下端から前記凸部に対応する位置を通過するように前記天面板状部側に向かって切り込んで形成された係止溝からなり、該係止溝は、その内法幅が前記凸部の幅と略同一に形成されたことを特徴とする請求項３に記載の床支持体。
【請求項６】
前記床受け部材は、前記天面板状部の幅方向中央のライン上に略垂直に立設された垂直板状部を備えることを特徴とする請求項１に記載の床支持体。
【請求項７】
請求項１乃至６のいずれか一項に記載された床支持体の設置方法であって、
前記支持板に、前記床受け部材の両端に形成された前記外嵌部を外嵌させて支持させることにより、前記床受け部材を横架する第１工程と、
前記第１工程後に、前記支柱の上端面に形成された開口から、前記支柱を上下に貫通するネジ溝の内部に工具を挿入し、該工具を前記ネジ溝に螺入されたネジ部材の上端側の端面に形成された前記第１係合部に係合させて前記ネジ部材を回動させることにより、前記支柱から延出された前記支持板に支持された前記床受け部材の端部の前記床面からの高さを調整する第２工程と、を行うことを特徴とする床支持体の設置方法。
【手続補正２】
【補正対象書類名】明細書
【補正対象項目名】００１１
【補正方法】変更
【補正の内容】
【００１１】
また、本発明において、前記床受け部材は、略水平かつ略平行に配設された所定長さの一対の側面板状部と、該一対の側面板状部の上端同士と下端同士をそれぞれ略水平に接続する上部板状部および下部板状部と、前記一対の側面板状部の上端からそれぞれ上方に拡開するように延出された一対の斜面板状部と、該一対の斜面板状部の上端同士を接続する略水平な天面板状部と、を有し、前記外嵌部は、前記床受け部材の端部において前記側面板状部、前記斜面板状部、前記天面板状部、が前記上部板状部および前記下部板状部よりも所定寸法長く延出された形状とされ、前記一対の側面板状部の間隔が前記支持板の板厚と略同一とされたことにより、前記一対の側面板状部の間に下方から挿入された前記支持板によって前記天面板状部が下方から当接支持されるように構成すると好適である。
【手続補正３】
【補正対象書類名】明細書
【補正対象項目名】００１２
【補正方法】変更
【補正の内容】
【００１２】
このように、本発明の床支持体は、支持脚に両端部をそれぞれ支持されて横架される床受け部材の上部が、一対の平行な側面板状部の上端に、上方に拡開する一対の斜面板状部の下端を接続し、この斜面板状部の上端同士を略水平な天面板状部で接続した断面形状とされている。つまり、天面板状部の両端が一対の斜面板状部に接続されて斜め下方から支持されており、さらに、この斜面板状部の下端が略水平な上部板状部に接続されて間隔が一定に保たれている。従って、天面板状部を幅広に形成することができ、荷重を受けても変形しにくく、上方からの荷重を安定して支持することができる。また、この逆三角形断面部分の下方に設けられた側面板状部の下端が、下部板状部に接続されて一定間隔に保たれているので、荷重を受けても変形しにくく、荷重を安定して支持することができる。
また、このような構成では、上部板状部および下部板状部を除去するだけで、床受け部材の両端部に支持板に装着可能な外嵌部を形成することができるので、床受け部材の製造が容易である。
【手続補正４】
【補正対象書類名】明細書
【補正対象項目名】００１４
【補正方法】変更
【補正の内容】
【００１４】
また、本発明において、前記第２係合部は、前記支持板の板面から突出する凸部からなり、前記係止部は、前記側面板状部の下端から前記凸部に対応する位置を通過するように前記天面板状部側に向かって切り込んで形成された係止溝からなり、該係止溝は、その内法幅が前記凸部の幅と略同一に形成されていると好適である。
このように、側面板状部に形成した溝を係止部として使用すれば、切り欠き加工のみで係止部を形成することができる。よって、簡易な構成となり、かつ、容易に製造することができる。
【手続補正５】
【補正対象書類名】明細書
【補正対象項目名】００１６
【補正方法】変更
【補正の内容】
【００１６】
また、前記課題は、本発明の床支持体の設置方法によれば、請求項１乃至６のいずれか一項に記載された床支持体の設置方法であって、前記支持板に、前記床受け部材の両端に形成された前記外嵌部を外嵌させて支持させることにより、前記床受け部材を横架する第１工程と、前記第１工程後に、前記支柱の上端面に形成された開口から、前記支柱を上下に貫通するネジ溝の内部に工具を挿入し、該工具を前記ネジ溝に螺入されたネジ部材の上端側の端面に形成された前記第１係合部に係合させて前記ネジ部材を回動させることにより、前記支柱から延出された前記支持板に支持された前記床受け部材の端部の前記床面からの高さを調整する第２工程と、を行うことにより解決される。
このように本発明では、床受け部材を横架したままで、床受け部材の水平精度を確認しながら各支持脚の高さ調整を行うことができるので、作業性が向上される。